(57)【要約】　　　（修正有）【課題】水深の深い地域でも容易に海底面に配設することができる構造を有するアンカーを提供する。【解決手段】サクションパイル１０と；アンカー４０と；油圧ジャッキと；を含んでなり、前記アンカーが、海底面に所定の深さに入り込まれた状態で、前記油圧ジャッキを動作させることで前記サクションパイルから分離され、海底に存置されることを特徴とする。【選択図】図１ａ
2004003292.tif 000002
【特許請求の範囲】
【請求項１】
海底面にアンカーを配設するためのアンカーアセンブリにおいて、
上段部に海上のポンプと連通する管が設けられており、該管を通って内部に流入されている水を排出することにより海底面に入り込むサクションパイル１０と、
外周にワイヤ４３が連結されており、前記サクションパイル１０と分離自在に結合され、サクションパイル１０が海底面に入り込むことにより海底面に所定の深さに入り込んで固定され、海底に固定された後には、サクションパイル１０と分離され海底に存置されるアンカー４０と、
前記サクションパイル１０と前記アンカー４０との間に位置するように前記サクションパイル１０の下段部に取り付けられ、前記サクションパイル１０の内側および前記サクションパイル１０の上段部を通って海上の油圧装置と連通する油圧管を通って供給される油圧によりアンカー４０の上段部を締め付け若しくはそれを解除することにより前記アンカー４０とサクションパイル１０とを分離自在に結合する油圧ジャッキとを含み、
前記アンカー４０が、海底面に所定の深さに入り込んだ状態で、前記油圧ジャッキを動作させることで前記サクションパイル１０から分離され、海底に存置されることを特徴とする地中サクションアンカーアセンブリ。
【請求項２】
前記アンカー４０の上段部には挿通延出部４１が形成され、
前記油圧ジャッキが、
前記挿通延出部４１を取り囲む一対の円弧状アーム２２と、油圧により前記円弧状アーム２２を内側あるいは外側に動かせる油圧シリンダー２３とを具備して、前記アーム２２を締め付け若しくはそれを解除する締め付け部材２６と；
円筒状外部垂直壁３５と、該外部垂直壁３５の下段に所定の幅をもって形成され前記挿通延出部４１が挿通する延出部挿通孔３２が形成されている底部３６及び該底部３６から上方に向けて垂直に延出している挿通延出部４１が押し付けられる内部垂直壁３３とからなり、前記締め付け部材２６が位置するハウジング部材３０と；で構成され、
前記油圧ジャッキが、前記ハウジング部材３０の底部３６に形成されている前記挿通孔３２を通って上方に延出している挿通延出部４１を前記締め付け部材２６のアーム２２を締め付けたりそれを解除することにより前記内部垂直壁３３に押し付けたりそれを解除し、前記アンカー４０と前記サクションパイル１０とを結合または分離することを特徴とする請求項１記載の地中サクションアンカーアセンブリ。
【発明の詳細な説明】
【０００１】
【発明の属する技術分野】
本発明は、水中に配設されるアンカーアセンブリに関し、より詳しくは、海底面に配設される地中サクションアンカーアセンブリに関する。
【０００２】
【従来の技術】
一般に、海底面に大きな保持力を有する埋立形態のアンカーを配設するためには、先ず、海底面を掘削した後にアンカーを位置させ、その上に復土を行う方法を使用していた。
他の方法としては、パイルの下段にアンカーを取り付けた後、該パイルをバージ（ｂａｒｇｅ）から引き降ろして海底面に当接させ、該パイルを回転させることより該アンカーを海底面に貫入し配設するものがある。
【０００３】
【発明が解決しようとする課題】
海底面を掘削してアンカーを配設する従来の方法では、海底面を掘削し更に復土しなければならないため、その過程で水を汚染させ、その結果、環境汚染をもたらすという問題点があった。
また、パイルを回転させてアンカーを貫入することにより海底面に配設する方法では、水深の浅い地域では使用可能なものの、水深の深い地域では、パイルを海底面へ当接させることができず、該方法は使用不可能であるという限界がある。
本発明は、かかる従来の技術の問題点に鑑みてなされたものであり、本発明の目的は、水深の深い地域でも容易に海底面に配設することができる構造を有するアンカーを提供することである。
【０００４】
【課題を解決するための手段】
本発明では、前記のような目的を達成するために、上段部に海上のポンプと連通する管が設けられており、該管を通って内部に流入されている水を排出することにより海底面に入り込むサクションパイルと；外周にワイヤが連結されており、前記サクションパイルと分離自在に結合され、サクションパイルが海底面に入り込むことにより海底面に所定の深さに入り込んで固定され、海底に固定された後には、サクションパイルと分離され海底に存置されるアンカーと；前記サクションパイルと前記アンカーとの間に位置するように前記サクションパイルの下段部に取り付けられ、前記サクションパイルの内側および前記サクションパイルの上段部を通って海上の油圧装置と連通する油圧管を通って供給される油圧によりアンカーの上段部を締め付け若しくはそれを解除することにより前記アンカーとサクションパイルとを分離自在に結合する油圧ジャッキと；を含んでなり、前記アンカーが、海底面に所定の深さに入り込んだ状態で、前記油圧ジャッキを動作させることで前記サクションパイルから分離され、海底に存置されることを特徴とする地中サクションアンカーアセンブリが提供される。
【０００５】
具体的な実施例として、前記アンカーの上段部には挿通延出部が形成され；前記油圧ジャッキが、前記挿通延出部を取り囲む一対の略半円の円弧状アームと、油圧により前記円弧状アームを内側あるいは外側に動かせる油圧シリンダーとを備え、前記アームを締め付け若しくはそれを解除する締め付け部材と；円筒状外部垂直壁と、該外部垂直壁の下段に所定の幅をもって形成され前記挿通延出部が挿通する延出部挿通孔が形成されている底部及び該底部から上方に向けて垂直に延出している挿通延出部が押し付けられる内部垂直壁とからなり、前記締め付け部材が位置するハウジング部材と；で構成され、前記油圧ジャッキが、前記ハウジング部材の底部に形成されている前記挿通孔を通って上方に延出している挿通延出部を前記締め付け部材のアームを締め付けたりそれを解除することにより前記内部垂直壁に押し付けたりそれを解除し、前記アンカーと前記サクションパイルとを結合または分離する。
【０００６】
【発明の実施の形態】
以下に添付図面を参照しながら、本発明にかかる一実施の形態について詳細に説明する。
図１ａ及び１ｂは、それぞれ本発明の一実施の形態に係る地中サクションアンカーの分解斜視図及び組立斜視図であり、図２は、本発明の一実施の形態に係る地中サクションアンカーの断面図である。図３ａ〜図３ｄは、本発明の一実施の形態に係る地中サクションアンカーを配設した状態を示す概略図である。
本発明による地中サクションアンカーアセンブリは、サクションパイル１０の下段部にアンカー４０を油圧ジャッキで結合し、それを海底に入り込ませることで配設し、アンカー４０の海底への配設が完了すると、サクションパイル１０をアンカー４０から分離する構造からなっている。その結果、アンカー４０から分離したサクションパイル１０を再使用することができる。
【０００７】
前記サクションパイル１０は、深海の海底面に配設できるように開発したものであって、前記サクションパイル１０の内部は空いている中空状となっており、前記サクションパイル１０の上段には、ポンプ管（図示せず）が海上の船舶等に設けられているポンプと連通している。前記ポンプを稼動して前記サクションパイル１０内に流入されている水を吸い上げると、サクションパイル１０が海底面に入り込むようになる。かかるサクションパイル１０に係る技術は、米国特許第６，２２７，１３８号、国際特許出願ＷＯ９９２２９８３等の公知文献に開示されており、本発明では、かかるサクションパイル１０を用いる。従って、サクションパイル１０の具体的な構成及び作動原理についての説明を省略する。
【０００８】
油圧ジャッキは、サクションパイル１０とアンカー４０との間に位置するようにサクションパイル１０の下段部に取り付けられ、該油圧ジャッキを稼動させることでアンカー４０とサクションパイル１０とを結合または分離させる。
【０００９】
前記油圧ジャッキは、一対の円弧状アーム２２と油圧シリンダー２３とを備え、前記油圧シリンダー２３の作動により前記アーム２２を締め付け若しくはそれを解除することでアンカー４０とサクションパイル１０とを分離自在にする締め付け部材２６；及び該締め付け部材２６の設置空間を形成する円筒状のハウジング部材３０と；を含んで構成される。
【００１０】
前記ハウジング部材３０は、図１ａに示すように、内周面にネジ部３４が形成されている円筒状外部垂直壁３５と、該外部垂直壁３５の下段に水平方向に所定の幅をもって延び中央に中孔３７を形成する底部３６と、該底部３６から中孔３７の円周に沿って上方に向けて垂直に延びる円筒状の内部垂直壁３３とからなる。
【００１１】
従って、前記ハウジング部材３０の断面の一側は、前記外部垂直壁３５、底部３６及び内部垂直壁３３により“Ｕ”字形をなす。前記サクションパイル１０の下段部の外周面には、前記ハウジング部材３０のネジ部３４に螺合するネジ部１１が形成されており、前記ハウジング部材３０が前記サクションパイル１０の下段部にネジ止めされる。前記ハウジング部材３０の底部３６には、前記内部垂直壁３３の下部付近に後述するアンカー４０の上段に形成された挿通延出部４１が挿通する多数の延出部挿通孔３２が形成されている。前記内部垂直壁３３は、前記延出部挿通孔３２を挿通し上方に延出したアンカー４０の挿通延出部４１を前記締め付け部材２６で締め付けると、前記挿通延出部４１がこれに押し付けられる（図２参照）。一方、前記ハウジング部材３０の底部３６の一側には、一対の固定突起３１が設けられている。
【００１２】
前記締め付け部材２６は、一対の円弧状帯形状をなしているアーム２２とこれらアームの一端が連結される油圧シリンダー２３とで構成され、前記締め付け部材２６の他端には、前記ハウジング部材３０に形成されている固定突起３１が挿通する固定孔２１が形成されている。該固定孔２１に前記固定突起３１が挿通した後、ネジ部材２５でネジ止めすることにより前記ハウジング部材３０に前記締め付け２６が取り付けられる。
【００１３】
前記油圧シリンダー２３は、油圧の作用により前記アーム２２を動かせて前記締付け部材２６を締め付け若しくはその締め付けを解除する。即ち、油圧シリンダー２３の作用により、前記両アーム２２がなす円の径の大きさが増減する（図２参照）。
【００１４】
前記油圧シリンダー２３は、サクションパイル１０の内部を通る油圧管２４を介して海上の船舶等に設けられている油圧装置（図示せず）と連通している。サクションパイル１０が海底面に入り込む時、前記油圧管２４が損傷するおそれがあるため、前記油圧管２４をサクションパイル１０の内部を通って海上の油圧装置に連結する。前記油圧装置からの油圧が前記油圧管２４を通って油圧シリンダー２３に加えられることにより油圧シリンダー２３が作動する。
【００１５】
アンカー４０は、図１ａ及び図２に示すように、円筒状をなしている。前記アンカー４０の上端には、多数の挿通延出部４１が形成され、該挿通延出部４１は、ハウジング部材３０の底部３６に形成されている延出部挿通孔３２を挿通し、前記ハウジング部材３０の内部垂直壁３３と微少な間隔だけをおいて並んで上方に延出している。前記アンカー４０の外周面には、アンカー４０がもつ保持力を向上するために多数のフランジ４２が備えられている。また、アンカー４０の外周面には、海上の浮子に一端が連結されているワイヤ４３の他端が固定連結されている。
【００１６】
以下では、図１〜図３を参照して、本発明による地中サクションアンカーアセンブリによりアンカーを海底面に配設する過程を説明する。
ハウジング部材３０の内部に締め付け部材２６が位置した状態で、前記ハウジング部材３０がサクションパイル１０の下段部にネジ止めされることにより、油圧ジャッキがサクションパイル１０の下段部に固設される。前記油圧ジャッキを作動させるための油圧管２４は、サクションパイル１０の内部を通って海上の船舶、または海上のクレーン等に設けられている油圧装置に連結される（図３参照）。前記サクションパイル１０は、海上に位置する海上クレーンにより垂直状態を保持する。前記サクションパイル１０の上段部には、サクションパイル１０の内部に流入した水をサクションパイル１０の外部に排出するための管（図示せず）が設けられている。海上に位置するポンプの作動により前記管を通ってサクションパイル１０の内部に流入されていた水が外部に排出される。
【００１７】
アンカー４０は、油圧ジャッキにより次のような方法にてサクションパイル１０と分離自在に結合される。アンカー４０の上段部に形成されている多数の挿通延出部４１がハウジング部材３０の底部３６に形成されている延出部挿通孔３２を挿通する。該延出部挿通孔３２を挿通した挿通延出部４１は、前記ハウジング部材３０の内部垂直壁３３と微少な間隔だけをおいて並んで上方に延出する。油圧ジャッキに備えられている締め付け部材２６の油圧シリンダー２３が油圧装置の油圧により作動し、締め付け部材２６の両側のアーム２２を内側に動かせると、前記内部垂直壁３３と並んで上方に延出している挿通延出部４１が前記内部垂直壁３３に押し付けられるようになる。このように、挿通延出部４１が締め付け部材２６により締め付けられ、その結果、前記サクションパイル１０の下段部に前記アンカー４０が取り付けられる。
【００１８】
このように、サクションパイル１０の下段部にアンカー４０が油圧ジャッキにより取り付けられた状態で、海上クレーンを用いてサクションパイル１０を下降し、前記アンカー４０が海底面に当たるようにする。ポンプによりサクションパイル１０の内部の水を外部に排出すると、アンカー４０と共にサクションパイル１０が海底面に入り込むようになる。アンカー４０が海底面に所定の深さに入り込むと、油圧ジャッキを作動させてサクションパイル１０とアンカー４０とを分離する。
【００１９】
即ち、油圧シリンダー２３が油圧装置の油圧により作動し、締め付け部材２６のアーム２２を外側に動かせることにより挿通延出部４１の締め付け状態を解除すると、前記内部垂直壁３３に押し付けられていた挿通延出部４１が底部３６の延出部挿通３２から抜け出し可能な状態となる。
このように、サクションパイル１０とアンカー４０との締め付け状態が解除すると、サクションパイル１０を引き上げ、海底面に入り込んでいるアンカー４０からサクションパイル１０を完全に分離する。
アンカー４０の外周面に一端が連結されているワイヤ４３の他端を海上の浮子６０に連結することにより、アンカー４０が浮子６０の浮き位置を固定させる機能を果たす。
【００２０】
【発明の効果】
以上説明したように、本発明によると、サクションパイル１０の下段部にアンカー４０を分離自在に結合した後、アンカー４０が海底面に入り込まれ固定された時、簡単な方法にてサクションパイル１０とアンカー４０とを分離し、アンカー４０を海底面に永久的に存置することができる。従って、アンカー４０を海底面に配設する過程を極めて容易に行うことができる。
【００２１】
特に、アンカー４０の配設過程において海底面の掘削や復土を行う必要がないため、それによる環境汚染の発生を防止することができる。
また、パイルを回転させることでアンカーを配設することではなく、サクション方式によりアンカーを配設するため、深海でもアンカー４０を容易に配設することができる。
【００２２】
更に、アンカー４０を配設した後、サクションパイル１０と油圧ジャッキをアンカー４０と分離して引き上げるため、それらを再使用することができ、結果として、施工費用を節減することができる。
図面では、船舶を用いてサクションパイル１０を下降させることと示されているが、これは、例示に過ぎず、正規の船舶以外にもバージや海上クレーン等を用いることも可能である。
【図面の簡単な説明】
【図１ａ】本発明の一実施の形態に係る地中サクションアンカーの分解斜視図及び組立斜視図である。
【図１ｂ】本発明の一実施の形態に係る地中サクションアンカーの分解斜視図及び組立斜視図である。
【図２】図２は、本発明の一実施の形態に係る地中サクションアンカーの断面図である。
【図３】図３ａ〜図３ｄは、本発明の一実施の形態に係る地中サクションアンカーを配設する過程を示す概略図である。
【符号の説明】
１０　サクションパイル
１１　ネジ部
２２　アーム
２３　油圧シリンダー
２４　油圧管
２６　締め付け部材
３０　ハウジング部材
３２　延出部挿通孔
３３　内部垂直壁
３５　外部垂直壁
３６　底部
４０　アンカー
４１　挿通延出部
【図１ａ】
2004003292.tif 000003
【図１ｂ】
2004003292.tif 000004
【図２】
2004003292.tif 000005
【図３】
2004003292.tif 000006